(57)【要約】【課題】登録ユーザーの携帯電話機を利用することで、他人には暗証番号の確認ができ難くさせた暗証番号確認機能付き情報処理装置を提供する。【解決手段】ログイン時の暗証番号の確認機能を備えた情報処理装置であって、個人識別情報読取り手段１ａに入力されて読み取られた個人識別情報に基づき個人識別の正当性が確認された予め登録されたユーザーの所持する着信履歴が保存される携帯電話機に対し、上記ログイン時の暗証番号と一部が同じ送信元電話番号を有する電話機能２１０から呼出しだけの電話送信を行わせる暗証番号確認制御手段１０３を備えたことを特徴とする。【選択図】図２
2007172075.tif 000002
【特許請求の範囲】
【請求項１】
ログイン時の暗証番号の確認機能を備えた情報処理装置であって、個人識別情報読取り手段に入力されて読み取られた個人識別情報に基づき個人識別の正当性が確認されたユーザーの所持する着信履歴が保存される携帯電話機に対し、上記ログイン時の暗証番号と一部が同じ送信元電話番号を有する電話機能から呼出しだけの電話送信を行わせる暗証番号確認制御手段を備えたことを特徴とする暗証番号確認機能付き情報処理装置。
【請求項２】
少なくともログインの暗証番号と、予め登録された各ユーザーの個人識別情報と携帯電話番号を格納した記憶手段と、
情報処理装置の操作入力を行う入力手段と、
上記入力手段に入力される暗証番号の上記記憶手段に格納されたログインの暗証番号との照合により情報処理装置の利用を許可するログイン制御手段と、
ユーザーにより入力される個人識別情報を読み取る個人識別情報読取り手段と、
ログインの上記暗証番号と一部が同じ送信元電話番号を有し電話送信指示に従い電話の送信を行う上記電話機能と、
上記個人識別情報読取り手段に入力されて読み取られた個人識別情報が上記記憶手段に格納されたユーザーの個人識別情報と一致した時に、上記電話機能に該ユーザーの携帯電話番号を送信先電話番号として上記送信元電話番号から電話送信させる上記電話送信指示を送る上記暗証番号確認制御手段と、
を備えたことを特徴とする請求項１に記載の暗証番号確認機能付き情報処理装置。
【請求項３】
上記記憶手段に複数の異なるログインの暗証番号が格納され、
上記ログイン制御手段で使用される暗証番号が上記記憶手段に格納されている暗証番号のなかから手動で又は定期的に自動で変更され、
上記電話機能がログインの上記複数の暗証番号とそれぞれ一部が同じ対応する複数の送信元電話番号を有し、
上記暗証番号確認制御手段が上記電話機能に、上記ログイン制御手段が使用している暗証番号に対応する送信元電話番号の指定を含む上記電話送信指示を送る、
ことを特徴とする請求項２に記載の暗証番号確認機能付き情報処理装置。
【請求項４】
上記ログイン制御手段が、１つの基準暗証番号とこれの両端のいずれか１桁を増減させた複数のサブ暗証番号からなるものを暗証番号とし、使用する暗証番号がこれらの暗証番号のなかから手動で又は定期的に自動で変更され、
上記暗証番号確認制御手段が上記電話機能に、上記ログイン制御手段が使用している暗証番号の増減される桁の数値に対応する呼出回数の指定を含む上記電話送信指示を送る、
ことを特徴とする請求項２に記載の暗証番号確認機能付き情報処理装置。
【請求項５】
上記情報処理装置が、ビルに設置されている各種設備の状態をビル側で監視する上記各手段を設けた遠隔監視制御端末と、上記遠隔監視制御端末からの指示で監視センタに各設備の状態情報を電話網を介して送る上記電話機能を設けた遠隔発報装置と、からなることを特徴とする請求項１ないし４のいずれか１項に記載の暗証番号確認機能付き情報処理装置。
【発明の詳細な説明】
【技術分野】
【０００１】
この発明は、情報処理装置(コンピュータ)へのログインの際にユーザーが暗証番号を忘れた場合に、暗証番号が確認できる暗証番号確認機能付き情報処理装置に関する。
【背景技術】
【０００２】
従来、この種の装置として、カードの暗証番号を当人が思い出すために有効なサブ暗証番号情報を当人に知らせることができるようにするために、カードごとに対応するサブ暗証番号情報を記憶するサブ暗証番号情報記憶手段と、サブ暗証番号情報出力要求を入力するサブ暗証番号情報出力要求入力手段と、サブ暗証番号情報出力要求が入力された場合にカード認識を条件にサブ暗証番号情報記憶手段を検索して当該認識カードに対応するサブ暗証番号情報を抽出するサブ暗証番号情報抽出手段と、抽出されたサブ暗証番号情報を当該カード所有者が知ることができるように出力するサブ暗証番号情報出力制御手段と、を具備したサブ暗証番号情報出力装置があった(例えば特許文献１参照)。
【０００３】
【特許文献１】特開２００１−３４７２３号公報
【発明の開示】
【発明が解決しようとする課題】
【０００４】
この種の装置では、他人には分からないようにして当人のみが暗証番号を思い出すことができるようにすることが重要である。
【０００５】
この発明は、登録ユーザーの携帯電話機を利用することで、他人には暗証番号の確認ができ難くさせた暗証番号確認機能付き情報処理装置を提供することを目的とする。
【課題を解決するための手段】
【０００６】
この発明は、ログイン時の暗証番号の確認機能を備えた情報処理装置であって、個人識別情報読取り手段に入力されて読み取られた個人識別情報に基づき個人識別の正当性が確認されたユーザーの所持する着信履歴が保存される携帯電話機に対し、上記ログイン時の暗証番号と一部が同じ送信元電話番号を有する電話機能から呼出しだけの電話送信を行わせる暗証番号確認制御手段を備えたことを特徴とする暗証番号確認機能付き情報処理装置にある。
【発明の効果】
【０００７】
この発明では、登録ユーザーの携帯電話機を利用することで、他人には暗証番号の確認ができ難くさせた暗証番号確認機能付き情報処理装置を提供できる。
【発明を実施するための最良の形態】
【０００８】
この発明は、ログインによるセキュリティがかけられた種々のコンピュータすなわち情報処理装置に適用可能であるが、以下では、ビルに設置されている各種設備の状態をビル側で監視して、監視センタに各設備の状態情報を送る遠隔監視制御端末を例に挙げて説明する。
【０００９】
実施の形態１．
図１は上記遠隔監視制御端末を含むビルの遠隔監視システムの構成を示す図である。コンピュータからなる遠隔監視制御端末１はビルＢＬ側に設けられ、サブコントローラ３を介してビルＢＬに設置された各種設備である空調システム４や照明システム５に接続され、これらの設備の異常や故障等を含む状態情報を収集し、電話機能を有する遠隔発報装置２から、電話回線網(固定電話用)ＴＮを介して、多数の遠隔監視制御端末１からの情報を収集して監視を行う監視センタＯＳや、事故が発生した際に出動を要請する警備会社ＳＳに、例えば定期的に送信させている。遠隔監視制御端末１は、表示画面等からなる表示装置１ｂ及びキーボードやマウス等からなる入力装置１ｃを備える。
【００１０】
この発明ではさらに遠隔監視制御端末１は、後述するように、遠隔発報装置２に、ビルの保守管理を行う予め登録された管理者(ユーザー)の、送信元電話番号を含む着信履歴を保存する携帯電話機６に対して、電話回線網ＴＮや携帯電話網ＭＴＮ及び携帯電話基地局ＢＳ(これらをまとめて電話網ＴＮＷとする)を介して、呼出だけの(例えばワンコール)の電話送信を行わせる。遠隔監視制御端末１はさらに、予め登録された管理者の個人識別確認を行うための個人識別情報読取り装置１ａを備える。なお、この例では遠隔監視制御端末１、個人識別情報読取り装置１ａ、表示装置１ｂ、入力装置１ｃ及び遠隔発報装置２でこの発明の情報処理装置を構成しており、遠隔発報装置２及び個人識別情報読取り装置１ａは、遠隔監視制御端末１に一体に設けたものであってもよい。さらに表示装置１ｂ及び入力装置１ｃも遠隔監視制御端末１に一体に設けたものであってもよい。
【００１１】
図２は図１の情報処理装置を構成する部分の機能ブロック図を示す。遠隔監視制御端末１のログイン制御手段１０１は、遠隔監視制御端末１の利用にセキュリティをかけるために、利用の前に行われる一般的なログイン動作の制御を行う。暗証番号確認制御手段１０３は、管理者が遠隔監視制御端末１を使用するためのログインの際の暗証番号を忘れて、管理者から所定の入力があった時に、管理者の個人識別情報の正当性を確認した上で行う暗証番号確認動作の制御を行う。遠隔監視制御手段１０５は、サブコントローラ３を介して収集される空調システム４や照明システム５等の各設備からの状態情報を、遠隔発報装置２から電話回線網ＴＮを介して監視センタＯＳや警備会社ＳＳに、例えば定期的に送信させる、一般的な遠隔監視制御動作の制御を行う。記憶手段１０７(第１の記憶手段)は上記各制御において必要な種々の情報を格納しておくメモリである。Ｉ／Ｆは各装置との間のインターフェースを示す。
【００１２】
個人識別情報読取り装置１ａは、管理者の本人確認を行うための、例えば管理者の所持する有接触又は非接触のＩＤカードＣＤに格納されているＩＤ番号や管理者の指紋、静脈パターン、網膜パターン等であるバイオメトリック情報ＢＭからなる個人識別情報の読み取りを行う。
【００１３】
遠隔発報装置２の電話機能２１０は電話送信手段２０１、電話送信制御手段２０３、及び記憶手段２０５(第２の記憶手段)を備え、電話送信手段２０１は、指示された送信先電話番号に電話をかけたり、さらには電話の送信先に情報等を送る機能を有するものであり、遠隔監視制御手段１０５からの指示に従って、電話送信手段２０１自ら又は例えば記憶手段２０５に格納されている送信先電話番号に基づき監視センタＯＳや警備会社ＳＳに電話をして設備の状態情報を送る。そしてこの発明では特に、電話機能２１０の電話番号(送信元電話番号)の例えば加入者番号(下４桁)が、ログインにおける暗証番号と同じになるようにしておく。電話送信制御手段２０３は、遠隔監視制御端末１の暗証番号確認制御手段１０３で暗証番号確認制御が行われ、管理者の個人識別情報の正当性が確認された時に、予め登録されて記憶手段２０５に格納された該管理者の携帯電話機６の電話番号に従って電話送信手段２０１に例えばワンコールの呼出だけの電話をかけさせる指示を行う。これにより、該管理者の携帯電話機６の着信履歴を見れば、遠隔発報装置２の電話機能２１０からの電話の着信履歴に電話機能２１０の電話番号が送信元電話番号として示されており、これにより該管理者はログインにおける暗証番号を知ることができる。
【００１４】
図３はこの発明による情報処理装置の動作の一例を示すフローチャートであり、以下これに従って動作を説明する。遠隔監視制御端末１を使用するためにユーザーである例えばビルの管理者が遠隔監視制御端末１の入力装置１ｃから所定の操作入力を行うと(ステップＳ１)、表示装置１ｂにログイン画面が表示され、暗証番号の入力が促される(ステップＳ２)。管理者により暗証番号が入力装置１ｃから入力されると(ステップＳ３)、記憶手段１０７にはログインの暗証番号が格納されており(図示省略)、この暗証番号との照合により入力された暗証番号の正当性がチェックされる(ステップＳ４)。入力された暗証番号が正しければ、該管理者は、入力装置１ｃにより終了操作を行うまで、遠隔監視制御端末１の利用が許可される(ステップＳ５、Ｓ６)。以上はログイン制御手段１０１の動作に相当する。
【００１５】
一方、暗証番号を忘れてしまった場合のために、ログイン画面には暗証番号確認釦が設けられおり、例えば暗証番号を忘れてしまった管理者によりこれがクリックされると(ステップＳ７)、画面に個人識別情報の入力指示が表示される(ステップＳ８)。画面に表示された暗証番号確認釦をクリックする代わりに、入力装置１ｃから所定の操作を行うと(例えば、いずれかのキーを暗証番号確認釦として割り当てておきそれが操作される場合)、同様に個人識別情報の入力指示が表示されるようにしてもよい。
【００１６】
個人認証情報としては、例えば管理者の所持する有接触又は非接触のＩＤカードＣＤに格納されているＩＤ番号、又は管理者の指紋、静脈パターン、網膜パターン等であるバイオメトリック情報ＢＭ等を使用する。記憶手段１０７には例えば図４に示すように、遠隔監視制御端末１の使用が許可されている各管理者の上述の個人識別情報と、管理者携帯電話番号又はこの装置で設定された管理者を特定する管理者番号の対応表が格納されている。なお、以下での記憶手段１０７、２０５に格納されている情報に関する説明は、該説明に必要とされる情報のみについて図示、説明するものとする。
【００１７】
そして管理者が個人識別情報の入力のために、個人識別情報読取り装置１ａにＩＤカードＣＤ又は管理者の身体をかざすと、個人識別情報読取り装置１ａは個人識別情報を読み取る(ステップＳ９)。ステップＳ９は個人識別情報読取り手段１ａの動作に相当する。
【００１８】
そして、読み取られた個人識別情報が記憶手段１０７に格納されたいずれかの管理者のものと一致すると、該管理者が遠隔監視制御端末１の使用を許可されている管理者でありかついずれの管理者であるかが確認される。すなわち例えば、該管理者の個人識別情報が管理者Ａの個人識別情報と一致していれば、該管理者が使用を許可されている管理者であり、かつ管理者Ａであり個人識別情報が正当である(該管理者は管理者Ａである)ことが確認されたことになる(ステップＳ１０)。
【００１９】
このようにして、該管理者が使用が許可されている管理者であることが確認されると、暗証番号確認制御手段１０３は、遠隔発報装置２の電話機能２１０に対し、例えば図５に示す、記憶手段１０７に格納されている該管理者の管理者携帯電話番号(送信先電話番号)又は管理者番号が付された電話送信指示(信号)を送る。以上は暗証番号確認制御手段１０３の動作に相当する。
【００２０】
電話機能２１０の電話番号(送信元電話番号)は例えば加入者番号(下４桁)が、ログインにおける暗証番号と同じである。そして電話機能２１０は携帯電話番号が付された電話送信指示を受けると、該携帯電話番号(送信先電話番号)に例えばワンコールの呼出のみの電話送信を行う。以上は電話機能２１０の動作に相当する。
【００２１】
管理者の携帯電話機６は着信履歴を保存する機能を備えているため、これにより、該管理者が自らの携帯電話機６の着信履歴の上記ワンコールの電話の送信元電話番号の下４桁の加入者番号を見れば、暗証番号が分かることになる。
【００２２】
なお、暗証番号確認制御手段１０３が、遠隔発報装置２の電話機能２１０に対し、該管理者の管理者番号が付された電話送信指示を送る場合には、遠隔発報装置２の電話機能２１０の記憶手段２０５に例えば図６に示す管理者番号と管理者携帯電話番号との対応表を格納しておき、電話送信制御手段２０３により、この対応表に基づく携帯電話番号が送信先電話番号として電話送信手段２０１に指定され、電話送信手段２０１がこれに従って、同様に電話送信を行う。
【００２３】
実施の形態２．
なお、セキュリティの問題から、ログインの暗証番号は長い間、同一のものを使用するのは好ましくない。そこで、遠隔監視制御端末１の記憶手段１０７に複数の異なるログインの暗証番号を格納しておく。そしてログイン制御手段１０１は、格納されている暗証番号のなかから、例えばプログラムによって構成される内蔵するタイマ(図示省略)等に従って定期的に自動で暗証番号を変更して設定して使用する。
【００２４】
この場合には、電話機能２１０が上記複数の暗証番号とそれぞれ一部(例えば加入者番号)が同じ対応する複数の送信元電話番号を有する。そして記憶手段１０７には、図７に一例を示すように、ログイン制御手段１０１でのログインの複数の暗証番号と、これらに対応する電話機能２１０の送信元電話番号の対応表が格納される。複数の暗証番号はランダムなものでよい。
【００２５】
そして暗証番号確認制御手段１０３が、ログイン制御手段１０１が使用している暗証番号を検出し、図７の対応表に基づいて電話機能２１０に対して、例えば図８の(ａ)に示す、暗証番号に対応する送信元電話番号をさらに含む電話送信指示を送る。そして電話機能２１０が、送られてきたこの電話送信指示の送信元電話番号から送信先電話番号へ同様にして電話送信を行うことで、暗証番号の変更に対応することができる。
【００２６】
なお、電話送信指示に図８の(ａ)に示す送信元電話番号の代わりに、図８の(ｂ)に示すように送信元電話番号ナンバーを使用してもよい。この送信元電話番号ナンバーは、ログインの暗証番号と送信元電話番号の対応を付けるもので、例えば複数の暗証番号及びこれに対応する送信元電話番号にそれぞれ付した通し番号とする。
【００２７】
この場合には、記憶手段１０７には図９の(ａ)に示す暗証番号と送信元電話番号ナンバーの対応表が格納され、遠隔発報装置２の電話機能２１０の記憶手段２０５には、例えば図９の(ｂ)に示す送信元電話番号ナンバーと送信元電話番号の対応表が格納され、電話送信制御手段２０３により、受けた電話送信指示の送信元電話番号ナンバーのこの対応表に基づく送信元電話番号が電話送信手段２０１に指定され、電話送信手段２０１がこれに従って、同様に電話送信を行う。
【００２８】
実施の形態３．
また、ログインの暗証番号を変更して使用する際の別の例として、使用している暗証番号に対応させて管理者の携帯電話機６への電話送信時の呼出回数(コール回数)を変えるようにしてもよい。この場合、電話機能２１０の送信元電話番号は１つでよい(以下の説明では例えば××××−××−１２３４とする)。図１０の(ａ)にこの場合の遠隔監視制御端末１の記憶手段１０７に格納された暗証番号と呼出回数の対応表の一例を示す。ログインの暗証番号は、１つの基準暗証番号と、例えばこれの両端のいずれか１桁を増減させた複数のサブ暗証番号とする。図１０の(ａ)の例では、「１１２３４」を基準暗証番号とし、左端(最上位)の桁を１つづ増加させた「２１２３４」「３１２３４」「４１２３４」「５１２３４」をサブ暗証番号とし、変化する左端の桁の数値に合わせて呼出回数が設定されている。ログイン制御手段１０１は、格納されている基準暗証番号およびサブ暗証番号からなる暗証番号のなかから定期的に自動で暗証番号を変更して設定して使用する。
【００２９】
暗証番号確認制御手段１０３は、ログイン制御手段１０１が使用している暗証番号を検出し、電話機能２１０に対して、例えば図１０の(ｂ)に示す、暗証番号に対応する呼出回数をさらに含む電話送信指示を送る。そして電話機能２１０では、電話送信制御手段２０３により、受けた電話送信指示の呼出回数に基づく電話送信が電話送信手段２０１に指定され、電話送信手段２０１がこれに従って、電話送信を行う。
【００３０】
登録されている各管理者には、図１０の(ａ)に示されたログインの暗証番号と呼出回数の関係が予め知らされており、該管理者は携帯電話機６の呼出回数をカウントした後、着信履歴の該呼出だけの電話送信での送信元電話番号の加入者番号を確認し、加入者番号の前に呼出回数の数を付加した番号を暗証番号として、ログインを行うことができる。
【００３１】
なお、上述の例では暗証番号を、送信元電話番号の下４桁の加入者番号の前に１桁加えた５桁とし、加えられた桁を増加させているが、例えば暗証番号を４桁として両端いずれか１桁を増加又は減少させる等、暗証番号の桁数や両端のいずれの桁を増減させるか、さらに増減方法については、これに限定されるものではない。１つの基準暗証番号とこれの両端のいずれかを予め定めた規則に従って変形させた複数のサブ暗証番号とからなるものを暗証番号とし、上記規則に従った変形が呼出回数で確実に認識させらるものであればよい。
【００３２】
なお、上記実施の形態２、３では、ログイン制御手段１０１は、自動で暗証番号を変更して設定して使用するとしているが、例えば、保守時等に管理者がログインして、手動でログインの暗証番号が変更される場合であってもよい。
【００３３】
さらに上述したように、上記各実施の形態では、図２に示すように遠隔監視制御端末１、個人識別情報読取り装置１ａ、表示装置１ｂ、入力装置１ｃ及び遠隔発報装置２が別体に設けられている場合について説明がされているが、この発明は、これらのうちの複数の部分、さらには全てが一体に設けられた構成を有する情報処理装置に適用可能であり、同様の効果を奏する。また、遠隔監視制御端末１と遠隔発報装置２が一体に構成されている場合には、記憶手段１０７と記憶手段２０５は１つの記憶手段としてまとめることが可能である。
【図面の簡単な説明】
【００３４】
【図１】この発明による暗証番号確認機能付き情報処理装置である遠隔監視制御端末等を含むビルの遠隔監視システムの構成を示す図である。
【図２】図１のこの発明による情報処理装置を構成する部分の機能ブロック図である。
【図３】この発明による情報処理装置の動作の一例を示すフローチャートである。
【図４】この発明の実施の形態１における第１の記憶手段に格納されている個人識別情報と管理者携帯電話番号又は管理者番号との対応表の一例を示す図である。
【図５】この発明の実施の形態１における電話送信指示(信号)の構成の一例を示す図である。
【図６】この発明の実施の形態１における第２の記憶手段に格納されている管理者番号と管理者携帯電話番号との対応表の一例を示す図である。
【図７】この発明の実施の形態２における第１の記憶手段に格納されている暗証番号と送信元電話番号との対応表の一例を示す図である。
【図８】この発明の実施の形態２における電話送信指示(信号)の構成の例を示す図である。
【図９】この発明の実施の形態２の別の例における第１及び第２の記憶手段に格納されているそれぞれ暗証番号と送信元電話番号ナンバーとの対応表及び送信元電話番号ナンバーと送信元電話番号の対応表の例を示す図である。
【図１０】この発明の実施の形態３における第１の記憶手段に格納されている暗証番号と呼出回数との対照表及び電話送信指示(信号)の構成の一例を示す図である。
【符号の説明】
【００３５】
１  遠隔監視制御端末、１ａ  個人識別情報読取り装置、１ｃ  入力装置、１ｂ  表示装置、２  遠隔発報装置、３  サブコントローラ、４  空調システム、５  照明システム、６  携帯電話機、１０１  ログイン制御手段、１０３  暗証番号確認制御手段、１０５  遠隔監視制御手段、１０７  (第１の)記憶手段、２０１  電話送信手段、２０３  電話送信制御手段、２０５  (第２の)記憶手段、２１０  電話機能、ＢＬ  ビル、ＢＭ  バイオメトリック情報、ＢＳ  携帯電話基地局、ＣＤ  ＩＤカード、ＭＴＮ  携帯電話網、ＯＳ  監視センタ、ＳＳ  警備会社、ＴＮ  電話回線網、ＴＮＷ  電話網。
【図１】
2007172075.tif 000003
【図２】
2007172075.tif 000004
【図３】
2007172075.tif 000005
【図４】
2007172075.tif 000006
【図５】
2007172075.tif 000007
【図６】
2007172075.tif 000008
【図７】
2007172075.tif 000009
【図８】
2007172075.tif 000010
【図９】
2007172075.tif 000011
【図１０】
2007172075.tif 000012